(57)【要約】【課題】監視対象を監視する監視端末の現場における設置工事での作業、初期設定、動作確認や、試運転の作業の簡単化等の改善を図るものである。【解決手段】試運転時に現場側の通信端末と通信するための電話番号等の通信情報、管理情報を一元化しておき、例えば、監視装置と通信する前の通信端末には、通信情報（ＩＰアドレス、ユーザーＩＤ、パスワード等）として共通の値（デフォルト値）を設定しておき、監視装置に通信端末の電話番号だけを設定すると、監視装置と通信端末が通信できるようにしておく。そして、試運転中に監視装置の動作で、通信端末における、それらの通信情報、管理情報等を実運転に適した情報に設定変更する。【選択図】  図２
2005012582.tif 000002
【特許請求の範囲】
【請求項１】
監視対象設備を監視する設備監視部と、
前記設備監視部が取得した情報を記憶する記憶部と、
通信を介して情報を送受信する通信制御部と、
少なくとも前記設備監視部、前記記憶部、前記通信制御部を制御する制御部とを有し、
初期設定時に通信先との通信を確立する際に前記通信制御部が参照する通信情報は、予め設定された第１の通信情報とし、
通信確立後に、前記第１の通信情報とは異なる第２の通信情報に変更することを特徴とする監視端末。
【請求項２】
前記第１の通信情報には、少なくともＩＰアドレス、ユーザＩＤ、パスワードの何れかを含むことを特徴とする請求項１記載の監視端末。
【請求項３】
前記監視端末の複数において、前記第１の通信情報を共通の情報とすることを特徴とする特徴とする請求項１記載の監視端末。
【請求項４】
複数の前記監視端末において、前記第２の通信情報は、前記監視端末毎に異なる情報とすることを特徴とする請求項１記載の監視端末。
【請求項５】
情報を表示する表示部と、
ユーザの操作入力を取得する入力部と、
監視端末との情報の授受、監視端末の制御を通信によって実施する端末監視部と、
前記端末監視部が取得した情報を記憶する記憶部と、
少なくとも前記表示部、前記入力部、前記端末監視部、前記記憶部を制御する制御部とを有し、
初期設定時に前記監視端末との通信を確立する際に前記監視制御部が参照する通信情報は、予め設定された第１の通信情報とし、
通信確立後は、前記第１の通信情報とは異なる第２の通信情報に変更して前記監視端末と通信することを特徴とする監視装置。
【請求項６】
前記監視装置は、初期設定時の通信確立後に監視端末の記憶部に第２の通信情報を記憶させることを特徴とする監視装置。
【請求項７】
前記監視装置は、初期設定時の通信確立後に監視端末の記憶部に第２の通信情報を記憶させた後に、前記監視端末を再起動させ、
前記第２の通信情報にて、前記監視端末との通信確立が出来た場合には、初期設定時の通信確立が出来たことを前記表示部に表示することを特徴とする請求項５記載の監視装置。
【請求項８】
再起動された前記監視端末と前記監視装置との通信は、前記入力部に入力されたユーザ操作に基づいて、通信を実施させることを特徴とする請求項７記載の監視装置。
【請求項９】
監視対象設備に接続される監視端末を通信を介して監視装置によって監視する監視方法において、
初期設定時は、監視端末に予め設定されている第１の通信情報によって、前記監視装置は前記監視端末との通信確立を行い、
通信確立後に、前記監視端末の前記第１の通信情報を第２の通信情報に変更することを特徴とする監視方法。
【請求項１０】
前記監視端末の前記第１の通信情報を第２の通信情報に変更後に
再起動を行い、
前記第２の通信情報にて、前記監視端末との通信確立が出来た場合には、初期設定時の通信確立が出来たことを前記監視装置に設けた表示部に表示することを特徴とする請求項９記載の監視方法。
【請求項１１】
再起動された前記監視端末と前記監視装置とは、前記監視装置に設けた入力部に入力されたユーザ操作に基づいて、通信を実施することを特徴とする請求項９記載の監視方法。
【請求項１２】
下水道水を処理する下水道ポンプを監視する設備監視部と、
前記設備監視部が前記下水道ポンプから取得した情報を記憶する記憶部と、
電話回線を介して情報を送受信する通信制御部と、
少なくとも前記設備監視部、前記記憶部、前記通信制御部を制御する制御部とを有し、
初期設定時に通信先との通信を確立する際に前記通信制御部が参照する通信情報は、予め設定された第１の通信情報とし、
通信確立後に、前記第１の通信情報とは異なる第２の通信情報に変更することを特徴とする下水道ポンプを監視する監視端末。
【請求項１３】
前記第１の通信情報、及び前記第２の通信情報は、ＩＰアドレスであることを特徴とする請求項１２記載の下水道ポンプを監視する監視端末。
【請求項１４】
下水道水を処理する下水道ポンプに接続される下水道ポンプ監視端末を通信を介して監視装置によって監視する下水道ポンプ監視端末の監視方法において、
初期設定時は、下水道ポンプ監視端末に予め設定されている第１の通信情報によって、前記監視装置は前記下水道ポンプ監視端末との通信確立を行い、
通信確立後に、前記下水道ポンプ監視端末の前記第１の通信情報を第２の通信情報に変更することを特徴とする下水道ポンプ監視端末の監視方法。
【請求項１５】
前記第１の通信情報、及び前記第２の通信情報は、ＩＰアドレスであることを特徴とする請求項１４記載の下水道ポンプ監視端末の監視方法。
【発明の詳細な説明】
【０００１】
【発明の属する技術分野】
本発明は、上下水道の給水、配水設備や、産業用の生産設備、販売データ収集設備等を監視、制御する技術に関する。
【０００２】
【従来の技術】
従来から、通信端末と監視装置が通信して設備を監視するシステムが知られている。
【０００３】
ところで、下水道を排水処理する所謂マンホールポンプと呼ばれるものを監視する場合に、マンホールの設置されている設備に対して、その監視を実施する為の監視装置の設置工事が行われる。
【０００４】
この現場側のマンホール制御盤内に設置された通信端末と、中央側の監視センター等で統括的に監視する場合に、設置工事終了後に、現場側の通信端末と中央側の監視装置との間で通信を介して、仕様の通りに監視、若しくは制御出来るようにする為の、通信機能、通信動作を含む初期設定作業、試運転作業等を実施する必要がある。
【０００５】
遠方の監視制御における端末機の通信設定等に関するものとして、特許文献１に記載されたものがある。
【０００６】
特許文献１は、遠方の監視制御における端末機のアドレスを変更する方法についての発明であるが、既に親局と子局との間で通信が正常に行われるようになっていることを前提とする発明である。
【０００７】
よって、前述した設置工事終了後に、現場側の通信端末と中央側の監視装置との間の通信機能、通信動作を含む初期設定の作業等を改善することについては、開示の無いものである。
【０００８】
従来、このような監視システムを稼動開始するために、この試運転時の作業量が非常に大きく、監視システムを構築するコストを大きくしていたという問題があった。
【０００９】
【特許文献１】
特開平０８−１８５７２号公報
【００１０】
【発明が解決しようとする課題】
上記の従来の技術に関する問題を以下に説明する。
【００１１】
先ず、現場側の通信端末と通信する為の電話番号等の管理情報を管理する作業が複雑となる。
【００１２】
現場側のマンホールに通信端末を設置した後に、中央側の監視装置との間で通信ができるようにするために、通信の初期設定が複雑であった。例えば、複数の箇所のマンホールに通信端末を設置工事した場合には、各々の場所での通信端末を識別する電話番号、端末番号、ＩＰアドレス、ユーザーＩＤ、パスワードなどを別途正確に控えておく必要がある。
【００１３】
もし、現場に設置された通信端末を識別する前記管理情報が誤って控えていると、初期設定時に中央側が通信しようとする通信端末との通信を確立出来ないこととなる。若しくは、通信が確立して、監視装置と通信端末との間で通信が出来るようになっても、中央側の監視装置が通信している通信端末が、実は異なる現場の通信端末である等の不具合が生ずる場合もある。
【００１４】
本発明の課題は、前述の事項に基づき、設置工事での作業、初期設定、動作確認や、試運転の作業の簡単化の改善を図るものである。
【００１５】
【課題を解決するための手段】
上記の問題点を踏まえ、本発明においては、以下のように対応を図るものとする。
【００１６】
試運転時に現場側の通信端末と通信するための電話番号等の通信情報、管理情報を一元化しておき、試運転中に監視装置の動作で、それらの通信情報、管理情報等を実運転に適した情報に設定変更する。
【００１７】
監視装置と通信する前の通信端末には、通信情報（ＩＰアドレス、ユーザーＩＤ、パスワード等）として共通の値（デフォルト値）を設定しておき、監視装置に通信端末の電話番号だけを設定すると、監視装置と通信端末が通信できるようにしておく。この結果、試運転時に監視装置は、共通の値である通信情報（ＩＰアドレス、ユーザーＩＤ、パスワード等）を参照することで通信端末と通信の確立でき、現場側の作業者による通信情報の設定作業が不要になり作業工数を低減できる。
【００１８】
【発明の実施の形態】
図１に実施例における全体構成図を示す。
【００１９】
図１において、監視室には、パソコン１１０、監視装置１１１があり、監視装置１１１は、電話回線１３０を介して、監視対象を監視する監視端末１４０等と通信を行う。また、事務所には、パソコン１００、１０１、電話通報先となる電話機１０２がある。また、警報メールは、電話回線１３０に接続されたメールサーバ１５１を介して、端末１５０に送付される。また、図２には、監視端末１４０、監視装置１１１の構成を示す。
図２（ａ）監視端末１４０は、制御部１４４、設備監視部１４５、記憶部１４６、通信制御部１４７を含む。制御部１４４は、ＣＰＵを備え、監視端末１４０の各部の機能を制御する。設備監視部１４５は、監視対象の設備から得られる運転信号を取り込む回路である。運転信号には、運転信号や、故障信号などＯＮかＯＦＦかの値を持つ接点信号と、アナログの信号値を持つアナログ信号があり、これらのデータを設備監視部１４５が取り込み、制御部１４４で動作するソフトウェアがその信号を扱えるようにする。
【００２０】
記憶部１４６は、監視端末１４０に設定した初期設定値や、監視対象の設備の運転履歴のデータを保存する。本実施例では、フラッシュメモリを使用し、電源がＯＦＦになっても、記憶部１４６に保存したデータが消えないようにしている。運転の履歴データは、設備監視部１４５から取り込まれた信号を制御部１４４のソフトウェアが運転履歴のデータとして作成し、記憶部１４６に保存する。
【００２１】
通信制御部１４７は、監視装置１１１と通信するための通信用の部品を含む。本実施例では、モデムとイーサネット（登録商標）に接続するための回路とＲＳ２３２Ｃ３種類の回路からなる。電話回線を使用する場合は、モデムを使用し、イーサネット（登録商標）やルーターに接続する場合には、イーサネット（登録商標）用の回路を使用する。電話回線以外の通信回線に接続するために、通信回線に特有のモデムがある場合には、ＲＳ２３２Ｃの回路を使用する。通信制御部１４７を介して監視装置１１１と通信端末１４０は通信する。通信により、通信端末１４０から監視装置１１１に警報データを送信したり、運転履歴を送信したりする。
図２（ｂ）監視装置１１１は、制御部１２０、通信制御部１２１、記憶部１２２、表示部１２３、入力部１２４からなる。
制御部１２０はＣＰＵを持ち、ソフトウェアに基づき動作する部分である。
【００２２】
通信制御部１２１は、モデムを接続するＲＳ２３２Ｃポートと監視室内のＬＡＮに接続するイーサーネットの回路と２種類の回路を持つ。モデムを使用して、通信端末と接続し、警報データや運転履歴データなどを取得する。
【００２３】
記憶部１２２は、制御部１２０のソフトウェアが通信制御部１２１から得られたデータを保存したり、監視装置１１１をオペレータが操作した履歴を保存する。本実施例では、ハードディスクを使用している。
【００２４】
表示部１２３は、監視装置１１１のデータを表示する部品である。制御部１２０は、ソフトウェアに基づき、通信制御部１２１を介して、監視端末１４０から警報データを受信した時には、警報内容を表示部１２３に表示する。また、監視端末１４０から受信し、記憶部１２２に保存した運転履歴等を表示部１２３に表示する。本実施例では、特に、通信端末に対して、監視装置１１１が自動で初期設定をする機能を有するが、その初期設定の成功、あるいは失敗の結果を表示部１２３に表示する機能を持つ。
【００２５】
入力部１２４は、監視装置１１１に対して、オペレータが操作をする部品である。本実施例では、マウスとキーボードを入力部１２４として使用する。
【００２６】
監視装置１１１の構成方法によっては、表示部１２３と入力部１２４の持つ機能を監視装置１１１本体以外のパソコンに持たせることもできる。図１において、パソコン１１０はＬＡＮで監視装置１１１に接続されている。このパソコンは監視装置１１１のデータを表示し、監視装置１１１に対して、操作をすることができる。すなわち、監視装置１１１にブラウザ用のサーバーソフトを動作させ、パソコン１１０にブラウザを動作させ、監視装置１１１に保存されているデータをパソコン１１０に表示することができる。また、パソコン１１０のブラウザから、監視装置１１１のソフトウェアを操作することができる。特に、監視端末に対して、初期設定をする時に、電話番号を設定したり、初期設定を開始する操作をパソコン１１０で行い、監視装置１１１にあるソフトウェアで、その初期設定の動作を実行させることができる。
【００２７】
次に、図１と図３によって、初期設定時の手順を以下に説明する。
以下の文章の番号は図１のものを使用して説明し、（ステップ１）〜「ステップ１４）は図３の中の記号である。
（ステップ１）ユーザーがマンホールポンプ１０号１４３のデータを取得する操作をした結果、ユーザーの監視装置１１１は、電話回線網１３０に対して、上記マンホールポンプ１０号１４３の監視端末の指定電話番号に接続要求を発呼する。
（ステップ２）ユーザの監視装置１１１からの接続要求に対して、着信・接続が完了すると、監視端末１４３はユーザの監視装置１１１に着信・接続完了の応答を出す。
（ステップ３）ここで、ユーザの監視装置１１１は、上記監視端末１４３に対してユーザＩＤ・パスワードを送信する。
（ステップ４）上記監視端末１４３は、上記監視装置１１１から送信されたユーザＩＤ・パスワードを確認して、予め登録されたものと比較をして、登録済みのものと一致しないならば、回線を強制的に切断する。一方、上記送信されたユーザＩＤ・パスワードが登録済みのものと一致するならば、認証し、ネットワークを確立する（５３２）。
【００２８】
なお、図３の処理においては、上記監視装置１１１はクライアントとして動作し、上記監視端末１４３はサーバとして動作するものとする。
【００２９】
ここで、クライアント、サーバの割当てを上記のようにするのは、監視装置には、複数の監視端末が通信回線を介して接続されることになるが、監視端末には、工場出荷時等に、予め所定のユーザＩＤ・パスワードを共通に登録しておけば、監視装置をクライアントとして接続させた時に送信するユーザＩＤ・パスワードは各々の監視端末毎に変更することなく、上記予め登録されている所定のユーザＩＤ・パスワードをしようすれば、良いというメリットがある。この段階で使用するユーザＩＤとパスワードは、初期設定作業中にだけ、使用する一時的なものであり、このメリットから初期設定の作業効率が向上する。初期設定完了後には、ステップ１０に示すように、正式のユーザＩＤとパスワードを設定する。
（ステップ５）監視装置は監視端末に３つのファイル（ｈｏｓｔｓ、ｌｉｎｕｘ．ｉｎｉ、ｐａｓｓｗｄ）を要求する。これらのファイルは通信条件を設定するための、ＩＰアドレス、ネットマスク、ブロードキャストアドレス、ホストネーム、ユーザーＩＤとパスワードなどに関するデータが記録されている。
（ステップ６）上記監視装置１１１からのファイルの送信要求に応じて、上記３つのファイルを監視装置に送信する。
（ステップ７）監視端末は受信したｈｏｓｔｓ、ｌｉｎｕｘ．ｉｎｉの中に工場出荷時に設定するデフォルトのＩＰアドレスから、機場別に設定する個別のＩＰアドレスに書き換える。なお、監視装置と監視端末間のセキュリティーを向上させる為にｐａｓｓｗｄの中にあるユーザＩＤ・パスワードを工場上出荷時等で予め登録されていた所定のものから、使用するユーザ毎に固有に設けられたユーザＩＤ・パスワードに書き換えるものであっても良い。
（ステップ８）監視装置が監視端末に対して再起動を要求する。
（ステップ９）上記再起動要求を受けて、監視端末は電話回線を切断し、ステップ７で監視装置から送信された新たな設定条件に基づき再起動を行う。
なお、監視装置側は、再起動要求後に電話回線が切れることによって、再起動が実施されていることを確認することも出来る。
（ステップ１０）監視端末との電話回線切断後に、監視端末になされた設定が正常かどうかを確認するための動作を開始する。このため監視装置は、ステップ１０〜ステップ１５までの処理を再度行う。
（ステップ１１）監視端末は、あらたなユーザＩＤ・パスワードが正しければ、認証する。
（ステップ１２）監視装置は、初期設定の内容を確認するため、監視端末にデータ送信要求を行う。
（ステップ１３）上記ステップ１２の結果監視端末から受信したファイルを参照して、設定値が上記ステップ７で書き換えた値に書き換わっていれば、正常に処理されたものと判断し、正常に処理されたことを示す画面を監視装置に表示する。一方、設定値が上記ステップ７で書き換えた値に書き換わっていなければ、異常な処理が行われたものと判断し、異常な処理がされたことを示す画面を監視装置に表示して、例えば、初期通信環境設定を再度実施することを推奨する内容を画面に表示する。
（ステップ１４）上記ステップ１３で監視装置に正常か異常かの表示をした後、監視装置は監視端末との通信を終了する。
（ステップ１５）監視端末は通信データがない時間が長いことを検出して、接続を終了する。
【００３０】
なお、ステップ１０以降の処理を上記では全て自動で実施するものとして説明したが、ステップ１０以降の処理は、ユーザの判断の元に手動で実施するようにするものであっても良い。何故ならば、上述のような監視装置と監視端末とを初めて接続する場合には、相互の処理が必ずしも想定した通りに実行されないことも多くあり、全部を自動ですることが逆に不便となる場合もあるからである。
【００３１】
【表１】
2005012582.tif 000003
【００３２】
表１には、前記実施例におけるＩＰアドレスの変更を示し、図７には、監視端末を設置する前後でのＩＰアドレスの変化を示す。
【００３３】
表１には、監視端末の電話番号１００８とデフォルトのＩＰアドレス１００９が記載されている。初期設定をする監視端末の電話番号を監視装置に指定すると、監視装置は、図３に示す手順で、監視端末に電話し、デフォルトのＩＰアドレス１９２．１６８．５．１０を機場別のＩＰアドレス１９２．１６８．１０．１０などに設定変更する。機場別のＩＰアドレスは、監視装置のプログラムにより、監視端末の通し番号をＮとすると、１９２．１６８．（Ｎ＋９）．１０と書換えられる。
【００３４】
これにより、監視装置側から、電話番号を設定するだけで、通信の初期設定ができることになる。
【００３５】
図７には、上記表１の設定内容の動作を図で示したものである。監視装置は、監視端末１〜監視端末Ｎに対して、機場別のＩＰアドレスに書換える。
【００３６】
なお、ＩＰアドレスを書換える値は、上記の１９２．１６８．（Ｎ＋９）．１０以外の方法でも良く、監視端末間で異なるＩＰアドレスが設定されれば良い。
【００３７】
従来は、複数の通信端末の工事が複数の箇所に対して行われる場合には、煩雑な処理を必要とすることとなる。また、現地のマンホールとそれに割当てられた電話番号、またはＩＰアドレスの整合性が正しくない場合には、正しく通信の試運転が出来なかったり、接続すら出来なくなったり、中央監視センターでの監視対象と現地の実際のものが食い違うなどの問題を生ずる。特に、ＩＰアドレスが間違っていた場合には、電話回線の接続が出来たものの、その後のネットワークが確立しないこととなる。しかしながら、このネットワークが確立しないことが、ＩＰアドレスが誤っているのか、あるいは、通信回線の回線品質が悪いことによって、正常にデータの授受が行われていないものか等の判別が容易に出来ず、対応が困難となる場合が想定される。
【００３８】
また、図４〜５に、監視端末に個別のＩＰアドレスを設定した後の通信の手順を示す。これらは、通信の初期設定が終了した後の監視システムの通常の通信手順である。
【００３９】
図４に警報通報の手順を示す。監視端末が監視対象の警報信号を検出した時には、監視端末から通信を開始して、監視装置に警報データを書き込む。この時、監視端末は、個別に設定されたＩＰアドレスを使用して、監視装置と通信する。
【００４０】
図５に監視端末の履歴データを監視装置が取得する手順を示す。監視装置は、監視端末の巡回を自動で実行し、監視端末内に保存された監視対象設備の運転の履歴データを収集する。履歴データには、日報、月報、年報、トレンドデータ、警報履歴などがある。この時の通信には、監視端末に個別に設定されたＩＰアドレスを使用して通信する。
【００４１】
図６にパソコンから監視端末への接続手順を示す。パソコンは監視装置の機能を利用して、監視端末と通信する。ここでは、監視装置のルーター機能を利用する。パソコン上からブラウザなどを起動し、接続先として、監視端末のＩＰアドレスを指定すると、ブラウザからの通信の要求により監視装置が、監視端末の電話番号をダイアルして監視装置と監視端末が通信する。監視装置と監視端末が通信を確立すると、パソコンは監視装置を経由して監視端末と通信する。
【００４２】
一般には監視システムを運用するためには、通信端末１台ごとに、ＩＰアドレス、ユーザーＩＤ、パスワードを個別に設定する必要があるが、以上の実施例によれば、監視装置が通信端末１台ごとにこれらの通信条件を個別に自動で設定する機能を持たせることが可能となる。この結果、試運転時に監視装置の機能で自動で通信端末の通信条件の設定でき、作業工数を減少させるととともに、手作業による通信条件の設定ミスによる手戻り作業を減らすことができる。また、現場の作業者にＩＰアドレス、ユーザーＩＤ、パスワードについてトレーニングする必要がなくなり、かつ現場にこれらの通信条件を設定するためのツールを持ち込むことが不要になる。
【００４３】
【発明の効果】
以上により、本発明によれば、監視端末等の設置工事での作業、初期設定、動作確認や、試運転の作業の簡単化が図れるようになる。
【図面の簡単な説明】
【図１】本実施例の全体構成図。
【図２】装置構成図  （ａ）監視端末の構成  （ｂ）監視装置の構成
【図３】初期設定の手順を示す図。
【図４】警報通知の手順を示す図。
【図５】監視端末登録データ取得の手順を示す図。
【図６】パソコンから監視端末への接続手順を示す図。
【図７】監視端末の設置前後のＩＰアドレスを示す図。
【符号の説明】
１００、１０１、１１０：パソコン、１１１：監視装置、１３０：電話回線１３０、１４０：監視端末、１０２：電話機、１５０：端末、１５１：メールサーバ。
【図１】
2005012582.tif 000004
【図２】
2005012582.tif 000005
【図３】
2005012582.tif 000006
【図４】
2005012582.tif 000007
【図５】
2005012582.tif 000008
【図６】
2005012582.tif 000009
【図７】
2005012582.tif 000010